(57)【要約】【課題】装置構成の大規模化を招くことなく、利用者の移動経路を的確に記録することができる移動経路記録システム及び携帯端末装置を提供すること。【解決手段】所定の施設の通路に、この施設を特定する情報を含む磁界を発生するための磁界発生装置を設置する。また、携帯端末装置５０に、磁気センサ５２を設ける。携帯端末装置５０を携行する利用者が、施設の通路を通過すると、この通路に設置された磁界発生装置から発生された磁界を磁気センサ５２が検出し、マイコン５１がこの磁界から得られる信号をデコードして施設に関する情報を取得する。そして、マイコン５１は、計時部５３で計時され時刻と共に、デコードにより得られた情報をメモリ５７に記憶する。このメモリ５７に記憶された情報と時刻から、利用者の移動経路が時系列順に把握される。【選択図】　　　図２
2004054503.tif 000002
【特許請求の範囲】
【請求項１】
所定の施設の通路に設けられ、前記施設を識別するための情報を含む磁界を前記通路に形成する磁界形成手段と、
携帯端末装置に設けられ、前記通路に形成された磁界を検出し、該磁界に含まれる情報を取得して該磁界が検出された時刻と共に記憶する情報取得手段と、
を備えた移動経路記録システム。
【請求項２】
前記情報取得手段が、
前記通路に形成された磁界を検出する磁気センサと、
前記磁気センサにより検出された磁界に含まれる情報をデコードするデコード部と、
前記磁界が前記磁気センサに検出された時刻を計時する計時部と、
前記デコーダ部によりデコードされた情報と共に前記計時部により計時された時刻を記憶する記憶部と、
を備えたことを特徴とする請求項１に記載された移動経路記録システム。
【請求項３】
無線公衆回線を介して通信を行うための機能を備えた携帯端末装置において、
所定の施設の通路に形成された磁界であって前記施設を識別するための情報を含む磁界を検出する磁気センサと、
前記磁気センサにより検出された磁界に含まれる情報をデコードするデコード部と、
前記磁界が前記磁気センサに検出された時刻を計時する計時部と、
前記デコーダによりデコードされた情報と共に前記計時部により計時された時刻を記憶する記憶部と、
を備えたことを特徴とする携帯端末装置。
【発明の詳細な説明】
【０００１】
【発明の属する技術分野】
本発明は、携帯電話などの携帯端末装置の利用者が移動する経路を記録するための移動経路記録システム及び携帯端末装置に関する。
【０００２】
【従来の技術】
携帯端末装置の一種である携帯電話においては、従来からの通話機能に加えて、情報処理端末としての処理能力が大幅に強化されており、この処理能力を活用した各種の付加機能に対する要請がある。この種の要請に応える従来技術として、位置に関する情報を提供する機能が知られており、例えば、特開２０００−１３２７９７号公報、特開平０５−３３４５９３号公報、特開平１０−２８１７７５号公報、特開平０４−１８８３８６号公報等に開示されている。
【０００３】
ここで、特開２０００−１３２７９７号公報（第１の従来技術）には、行動を把握することを目的として、ＧＰＳ、ＰＨＳ、ＩｒＤＲ等から得られる複数の位置情報の中から最も適切なものを選択して記録する技術が開示されている。また、特開平０４−１４１６７５号公報（第２の従来技術）には、移動体を利用した時の経路情報を自動的に収録することを目的として、乗車券に受信記録手段を持たせる技術が開示されている。さらに、特開平１０−２８１７７５号公報（第３の従来技術）には、移動経路を同定することを目的として、無線基地局から受信した電波の電気的特性を測定し、その測定結果を用いてテンプレートマッチングを行う技術が開示されている。さらにまた、特開平０４−１８８３８６号公報（第４の従来技術）には、通過時刻を記録することを目的として、ＦＭ放送や移動体電話の基地局信号に含まれる識別信号を位置情報として受信する技術が開示されている。
【０００４】
【発明が解決しようとする課題】
しかしながら、上述の第１の従来技術によれば、精度良く位置情報を得ることはできるものの、複数の位置情報を取得するための装置が必要になり、装置構成が複雑になる。また、第２の従来技術によれば、予め経路が決められた移動体を利用した場合には有効であるが、移動体を利用せずに移動した場合には移動経路を記録することができない。さらに、第３の従来技術によれば、テンプレートマッチングの対象となっていない地域については位置を特定することができない。さらにまた、第４の従来技術によれば、特定される位置がＦＭ放送の受信範囲にまで拡大され、精度よく位置を特定することができない。
【０００５】
この発明は、上記事情に鑑みてなされたもので、装置構成の大規模化を招くことなく、利用者の移動経路を的確に記録することができる移動経路記録システム及び携帯端末装置を提供することを目的とする。
【０００６】
【課題を解決するための手段】
上記課題を解決するため、この発明は以下の構成を有する。
即ち、請求項１に記載の発明に係る移動経路記録システムは、所定の施設の通路に設けられ、前記施設を識別するための情報を含む磁界を前記通路に形成する磁界形成手段と、携帯端末装置に設けられ、前記通路に形成された磁界を検出し、該磁界に含まれる情報を取得して該磁界が検出された時刻と共に記憶する情報取得手段と、を備える。
【０００７】
この構成によれば、携帯端末装置を携行する利用者が、所定の施設の通路を通過すると、携帯端末装置に設けられた情報取得手段が、通路に形成された磁界を検出する。そして、この磁界に含まれる情報が時刻と共に記憶される。ここで、磁界に含まれる情報は、この磁界が検出された施設を識別するものであるから、各施設について取得された情報と時刻から、利用者の移動経路を事後的に把握することが可能になる。
【０００８】
請求項２に記載の発明は、請求項１に記載された移動経路記録システムにおいて、前記情報取得手段が、前記通路に形成された磁界を検出する磁気センサと、前記磁気センサにより検出された磁界に含まれる情報をデコードするデコード部と、前記磁界が前記磁気センサに検出された時刻を計時する計時部と、前記デコーダ部によりデコードされた情報と共に前記計時部により計時された時刻を記憶する記憶部と、を備えたことを特徴とする。
【０００９】
この構成によれば、通路に形成された磁界が磁気センサにより検出され、この磁界に含まれる情報がデコーダ部によりデコードされる。従って、通路に形成された磁界を検出し、該磁界に含まれる情報を取得することが可能になる。また、磁界が検出された時刻が計時部により計時により計時され、デコーダ部によりデコードされた情報と共に記憶部に記憶される。従って、磁界に含まれる情報を時刻と共に記憶することが可能になる。
【００１０】
請求項３に記載の発明は、無線公衆回線を介して通信を行うための機能を備えた携帯端末装置において、所定の施設の通路に形成された磁界であって前記施設を識別するための情報を含む磁界を検出する磁気センサと、前記磁気センサにより検出された磁界に含まれる情報をデコードするデコード部と、前記磁界が前記磁気センサに検出された時刻を計時する計時部と、前記デコーダによりデコードされた情報と共に前記計時部により計時された時刻を記憶する記憶部と、を備えたことを特徴とする。
【００１１】
【発明の実施の形態】
以下、図面を参照し、この発明の実施の形態を説明する。
この実施の形態に係る移動経路記録システムは、駅などの所定の施設に設置された磁界発生装置と、この発明に係る携帯電話などの携帯端末装置とから構成される。図１に、移動経路記録システムを構成する磁界発生装置１２，２２の配置例を示す。同図に示す例では、磁界発生装置１２が、駅舎１０の改札口などの通路１１に設置され、磁界発生装置２２が、他の駅舎２０の改札口などの通路２１に設置されている。なお、磁界発生装置の設置場所としては、この例に限らず、空港などの他の交通手段の施設であってもよく、また、利用者が勤務するオフィスや病院など、利用者の行動パターンに合わせて設置してもよい。
【００１２】
駅舎１０に設置された磁界発生装置１２は、通路１１に形成されるべき磁界を発生するものであって、２つの磁界出力部ＭＡｉ，ＭＡｏを備える。これら磁界出力部ＭＡｉ，ＭＡｏは、通路１１の通行人の動線に沿って配置され、各磁界出力部から出力される磁界は、この磁界発生装置１２が設置された施設（駅舎１０）を識別するための情報（以下、識別ＩＤと称す）と、磁界出力部ＭＡｉ，ＭＡｏを区別するための情報（以下、出力ＩＤと称す）とを含んでいる。この例では、磁界出力部ＭＡｉは駅舎の内部側に配置され、磁界出力部ＭＡｏは駅舎の外側に配置されている。同様に、駅舎２０に設置された磁界発生装置２２は、通路２１の通行人の動線に沿って配置された磁界出力部ＭＢｉ，ＭＢｏを備え、この磁界発生装置２２が発生する磁界は、この磁界発生装置２２が設置された施設（駅舎２０）の識別ＩＤと、磁界出力部ＭＢｉ，ＭＡｏを区別するための出力ＩＤとを含んでいる。
【００１３】
図２に、携帯端末装置５０の構成を示す。なお、図２では、移動経路記録システムに着目した構成を示しており、通話などの機能を実現するための他の構成要素については省略している。
同図に示すように、この携帯端末装置５０は、磁気センサ５２が接続されたマイコン５１、磁気センサ５２、計時部５３、表示装置５４、入力装置５５、メモリ５６，５７から構成され、これらはバス５８を介して相互に接続されている。ここで、マイコン５１は、磁気センサ５２から信号を入力して移動経路を記録するための一連の処理や通話に関する処理を実行するものである。計時部５３は、現在時刻を出力するものである。表示装置５４は、携帯端末装置の表示部をなし、入力装置５５は携帯端末装置の入力キーを含む入力インタフェースをなす。メモリ５６には制御プログラムなどが格納され、メモリ５７には、移動経路に関して取得された各種の情報が格納される。
【００１４】
以下、携帯端末装置５０の利用者が、図１に示す駅舎１０から電車に乗車して駅舎２０で降車する場合を例とし、図３に示すフローに沿ってこの実施の形態の動作を説明する。
携帯端末装置５０の利用者が駅舎１０の屋内に入る際に、磁界発生装置１２により磁界が形成された通路１１を通過すると、携帯端末装置５０の内部の磁気センサ５２が、磁界発生装置１２の磁界出力部ＭＡｏおよび磁界出力部ＭＡｉからそれぞれ出力された磁界をこの順に検出する（ステップＳ１；ＹＥＳ）。磁界が検出されると、マイコン５１は、磁気センサにより検出された磁界に含まれる識別ＩＤと２種類の出力ＩＤをデコードして取得する（ステップＳ２）。
一方、計時部５３は、磁界が磁気センサ５２により検出された時刻を計時してマイコン５１に出力する。マイコン５１は、上述のステップＳ２でデコードされた識別ＩＤおよび出力ＩＤと共に、計時部５３で計時された時刻をメモリ５７に記憶させる。以上により、駅舎１０の通路１１に形成された磁界を検出し、該磁界に含まれる情報を、該磁界が検出された時刻と共に記憶する。
【００１５】
続いて、利用者は、駅舎１０から電車に乗車して線路３０上を移動し、駅舎２０で降車し、この駅舎２０の通路２１を通過して屋外にでる。この際、利用者が所持する携帯端末装置５０の磁気センサ５２が、通路２１に設けられた磁界発生装置２２から発生される磁界を検出する。この場合、磁界出力部ＭＢｉからの磁界が先に検出され、磁界出力部ＭＢｏからの磁界が後に検出される。この磁界発生装置２２が発生する磁界から識別ＩＤと２種類の出力ＩＤがデコードされてメモリ５７に記憶される。この段階で、メモリ５７には、駅舎１０で取得された識別ＩＤおよび２種類の出力ＩＤと、駅舎２０で取得された識別ＩＤおよび２種類の出力ＩＤとが累積的に記憶されて蓄積されている。
【００１６】
次に、メモリ５７に記憶された情報を読み出して移動経路を表示させる。この場合、利用者は入力装置５５から移動経路の表示を指示する。これを受けてマイコン５１は、メモリ５７に累積的に記憶された識別ＩＤと出力ＩＤと時刻を読み出す。そして、駅舎１０で取得された識別ＩＤから施設として「駅舎１０」を識別し、そのときの２種類の出力ＩＤの取得順から、利用者の入場／退場を識別する。この場合、外側に配置された磁界出力部ＭＡｏからの磁界が先に検出され、内側に配置された磁界出力部ＭＡｉからの磁界が後に検出されているので、この時間順序から「入場」が識別される。同様に、駅舎２０で取得された識別ＩＤおよび２種類の出力ＩＤから「駅舎２０」および「退場」が識別される。これらの識別結果は時刻と共に、表示装置５５に表示される。従って、利用者は、この表示内容から、各時刻における施設と入退場の別を把握することができ、自己の移動経路を時系列順に知ることができる。
【００１７】
以上、この発明の一実施形態を説明したが、この発明は、この実施の形態に限られるものではなく、この発明の要旨を逸脱しない範囲の設計変更等があっても本発明に含まれる。
例えば、上述の実施の形態では、マイコン５１がメモリ５７に記憶された識別ＩＤ等から施設等を識別して表示させるものとしたが、これに限らず、メモリ５７に記憶された情報を外部に取り出して、他の情報処理端末上で識別処理して表示するものとしてもよい。
また、上述の実施の形態では、出力ＩＤの取得順から「入退場」を識別するものとしたが、単に移動の方向を識別するものとしてもよい。
【００１８】
【発明の効果】
この発明に係る移動経路記録システムによれば、所定の施設の通路に磁界を形成し、この磁界を携帯端末装置に設けられた磁気センサで検出して時刻と共に記録するようにしたので、装置構成の大規模化を招くことなく、利用者の移動経路を的確に記録することが可能になる。
また、この発明に係る携帯端末装置によれば、所定の施設の通路に形成された磁界を検出して時刻と共に記録することが可能になり、この記録結果から移動経路を把握することが可能になる。
【図面の簡単な説明】
【図１】この発明の実施の形態に係る移動経路記録システムを構成する磁界発生装置の配置を説明するための図である。
【図２】この発明の実施の形態に係る移動経路記録システムを構成する携帯端末装置のブロック図である。
【図３】この発明の実施の形態に係る携帯端末装置での処理の流れを示すフローチャートである。
【符号の説明】
１０，２０；駅舎、１１，２１；通路、１２，２２；磁界発生装置、３０；線路、５０；携帯端末装置、５１；マイコン、５２；磁気センサ、５３；計時部、５４；表示装置、５５；入力装置、５６，５７；メモリ、５８；バス。
【図１】
2004054503.tif 000003
【図２】
2004054503.tif 000004
【図３】
2004054503.tif 000005